(57)【要約】【課題】ユーザのプロファイル情報を効率的に取得できる情報取得方法及び情報取得プログラムを提供する。【解決手段】管理コンピュータ２１は、ユーザ識別子を付与し、そのユーザ識別子をユーザ端末３１に保存させるために提供する。そして、管理コンピュータ２１は、ユーザ端末３１からユーザの個人情報とユーザ識別子とを受信した場合、個人情報をユーザ識別子と関連付けてプロファイル情報記憶部２３に記憶する。そして、管理コンピュータ２１は、個人情報に基づいて占い情報を算出するとともにユーザ識別子に基づいてアンケート情報記憶部２２からアンケート内容を抽出し、占い情報とアンケートとをユーザ端末３１に送信する。そして、管理コンピュータ２１は、ユーザ端末３１からアンケートに対する回答を受信した場合、その回答をプロファイル情報記憶部２３に記録する。【選択図】      図１
2004171438.tif 000002
【特許請求の範囲】
【請求項１】
ユーザのプロファイルを記憶するプロファイル記憶手段と、複数のアンケートを記憶するアンケート情報記憶手段と、管理コンピュータとを用いて、ユーザのプロファイルを取得する情報取得方法であって、
前記管理コンピュータが、
前記ユーザ識別子を付与し、そのユーザ識別子をユーザ端末に保存させるために提供する段階と、
前記ユーザ端末から前記ユーザの個人情報と前記ユーザ識別子とを受信した場合、前記個人情報を前記ユーザ識別子と関連付けて前記プロファイル記憶手段に記憶し、前記個人情報に基づいて占い情報を生成するとともに前記ユーザ識別子に基づいて前記アンケートを抽出し、前記ユーザ端末に送信する段階と、
前記ユーザ端末から前記アンケートに対する回答を受信した場合、前記回答を前記ユーザ識別子と関連付けて前記プロファイル記憶手段に記憶する段階と
を備えたことを特徴とする情報取得方法。
【請求項２】
前記管理コンピュータが、
前記ユーザ端末からアンケートに対する回答を受信した場合、追加情報を前記ユーザ端末に送信する段階をさらに備えたことを特徴とする請求項１に記載の情報取得方法。
【請求項３】
前記管理コンピュータが、
前記ユーザ端末から前記ユーザ端末のシステム環境についての環境情報を受信し、前記環境情報を前記ユーザ識別子に関連付けて前記プロファイル記憶手段に記憶する段階
をさらに備えたことを特徴とする請求項１又は２に記載の情報取得方法。
【請求項４】
前記占い情報は、実行時期に対応して生成することを特徴とする請求項１〜３のいずれか１つに記載の情報取得方法。
【請求項５】
前記個人情報は、ユーザの生年月日に関する情報を含むことを特徴とする請求項１〜４のいずれか１つに記載の情報取得方法。
【請求項６】
前記ユーザ識別子にはクッキーを用いることを特徴とする請求項１〜５のいずれか１つに記載の情報取得方法。
【請求項７】
ユーザのプロファイルを記憶するプロファイル記憶手段と、複数のアンケートを記憶するアンケート情報記憶手段と、管理コンピュータとを用いて、ユーザのプロファイルを取得するための情報取得プログラムであって、
前記管理コンピュータを、
前記ユーザ識別子を付与し、そのユーザ識別子をユーザ端末に保存させるために提供するユーザ識別子付与手段、
前記ユーザ端末から前記ユーザの個人情報と前記ユーザ識別子とを受信した場合、前記個人情報を前記ユーザ識別子と関連付けて前記プロファイル記憶手段に記憶し、前記個人情報に基づいて占い情報を生成するとともに前記ユーザ識別子に基づいて前記アンケートを抽出し、前記ユーザ端末に送信するアンケート提供手段、及び、
前記ユーザ端末から前記アンケートに対する回答を受信した場合、前記回答を前記ユーザ識別子と関連付けて前記プロファイル記憶手段に記憶する回答取得手段
として機能させることを特徴とする情報取得プログラム。
【請求項８】
前記管理コンピュータを、さらに、
前記ユーザ端末からアンケートに対する回答を受信した場合、追加情報を前記ユーザ端末に送信する追加情報送信手段として機能させることを特徴とする請求項７に記載の情報取得プログラム。
【請求項９】
前記管理コンピュータを、さらに、
前記ユーザ端末から前記ユーザ端末のシステム環境についての環境情報を受信し、前記環境情報を前記ユーザ識別子に関連付けて前記プロファイル記憶手段に記憶する環境情報取得手段として機能させることを特徴とする請求項７又は８に記載の情報取得プログラム。
【請求項１０】
前記占い情報は、実行時期に対応して生成することを特徴とする請求項７〜９のいずれか１つに記載の情報取得プログラム。
【請求項１１】
前記個人情報は、ユーザの生年月日に関する情報を含むことを特徴とする請求項７〜１０のいずれか１つに記載の情報取得プログラム。
【請求項１２】
前記ユーザ識別子にはクッキーを用いることを特徴とする請求項７〜１１のいずれか１つに記載の情報取得プログラム。
【発明の詳細な説明】
【０００１】
【発明の属する技術分野】
本発明は、ユーザのプロファイル情報を取得するための情報取得方法及び情報取得プログラムに関する。
【０００２】
【従来の技術】
従来より、インターネット等の通信回線を利用してアンケートを行うことにより、嗜好傾向等についてのユーザのプロファイルを取得し、商品開発等に活用している場合が多い（例えば、非特許文献１参照。）。このようなアンケートにおいては、アンケートの回答の入力画面を提供し、回答をユーザに入力してもらうことにより取得する方法がある。また、ユーザの嗜好を詳細に把握するためには、多面的な角度から複数のアンケートを行う必要がある。
【０００３】
【非特許文献１】
インターネットビジネス研究会著，「インターネットビジネス白書２００１」，初版，ソフトバンク  パブリッシング株式会社，２０００年１２月１日，ｐ．１２２−１２３
【０００４】
【発明が解決しようとする課題】
しかし、プロファイル取得のためにアンケートを行う場合、より正確な全体的な嗜好傾向を把握するためには、多くのユーザにアンケートを行う必要がある。そして、アンケートへの回答を促進するため、例えば、ポイントの提供が広く行われているが、この場合、提供するポイントの管理を行う必要がある。また、複数のアンケートを行うために入力項目を多くした場合、ユーザの負担が大きくなり、回答が得難くなるおそれがある。
【０００５】
本発明は、上記問題点を解決するためになされたものであり、その目的は、ユーザのプロファイル情報を効率的に取得できる情報取得方法及び情報取得プログラムを提供することにある。
【０００６】
【課題を解決するための手段】
上記問題点を解決するために、請求項１に記載の発明は、ユーザのプロファイルを記憶するプロファイル記憶手段と、複数のアンケートを記憶するアンケート情報記憶手段と、管理コンピュータとを用いて、ユーザのプロファイルを取得する情報取得方法であって、前記管理コンピュータが、前記ユーザ識別子を付与し、そのユーザ識別子をユーザ端末に保存させるために提供する段階と、前記ユーザ端末から前記ユーザの個人情報と前記ユーザ識別子とを受信した場合、前記個人情報を前記ユーザ識別子と関連付けて前記プロファイル記憶手段に記憶し、前記個人情報に基づいて占い情報を生成するとともに前記ユーザ識別子に基づいて前記アンケートを抽出し、前記ユーザ端末に送信する段階と、前記ユーザ端末から前記アンケートに対する回答を受信した場合、前記回答を前記ユーザ識別子と関連付けて前記プロファイル記憶手段に記憶する段階とを備えたことを要旨とする。
【０００７】
請求項２に記載の発明は、請求項１に記載の情報取得方法において、前記管理コンピュータが、前記ユーザ端末からアンケートに対する回答を受信した場合、追加情報を前記ユーザ端末に送信する段階をさらに備えたことを要旨とする。
【０００８】
請求項３に記載の発明は、請求項１又は２に記載の情報取得方法において、前記管理コンピュータが、前記ユーザ端末から前記ユーザ端末のシステム環境についての環境情報を受信し、前記環境情報を前記ユーザ識別子に関連付けて前記プロファイル記憶手段に記憶する段階をさらに備えたことを要旨とする。
【０００９】
請求項４に記載の発明は、請求項１〜３のいずれか１つに記載の情報取得方法において、前記占い情報は、実行時期に対応して生成することを要旨とする。
請求項５に記載の発明は、請求項１〜４のいずれか１つに記載の情報取得方法において、前記個人情報は、ユーザの生年月日に関する情報を含むことを要旨とする。
【００１０】
請求項６に記載の発明は、請求項１〜５のいずれか１つに記載の情報取得方法において、前記ユーザ識別子にはクッキーを用いることを要旨とする。
請求項７に記載の発明は、ユーザのプロファイルを記憶するプロファイル記憶手段と、複数のアンケートを記憶するアンケート情報記憶手段と、管理コンピュータとを用いて、ユーザのプロファイルを取得するための情報取得プログラムであって、前記管理コンピュータを、前記ユーザ識別子を付与し、そのユーザ識別子をユーザ端末に保存させるために提供するユーザ識別子付与手段、前記ユーザ端末から前記ユーザの個人情報と前記ユーザ識別子とを受信した場合、前記個人情報を前記ユーザ識別子と関連付けて前記プロファイル記憶手段に記憶し、前記個人情報に基づいて占い情報を生成するとともに前記ユーザ識別子に基づいて前記アンケートを抽出し、前記ユーザ端末に送信するアンケート提供手段、及び、前記ユーザ端末から前記アンケートに対する回答を受信した場合、前記回答を前記ユーザ識別子と関連付けて前記プロファイル記憶手段に記憶する回答取得手段として機能させることを要旨とする。
【００１１】
請求項８に記載の発明は、請求項７に記載の情報取得プログラムにおいて、前記管理コンピュータを、さらに、前記ユーザ端末からアンケートに対する回答を受信した場合、追加情報を前記ユーザ端末に送信する追加情報送信手段として機能させることを要旨とする。
【００１２】
請求項９に記載の発明は、請求項７又は８に記載の情報取得プログラムにおいて、前記管理コンピュータを、さらに、前記ユーザ端末から前記ユーザ端末のシステム環境についての環境情報を受信し、前記環境情報を前記ユーザ識別子に関連付けて前記プロファイル記憶手段に記憶する環境情報取得手段として機能させることを要旨とする。
【００１３】
請求項１０に記載の発明は、請求項７〜９のいずれか１つに記載の情報取得プログラムにおいて、前記占い情報は、実行時期に対応して生成することを要旨とする。
【００１４】
請求項１１に記載の発明は、請求項７〜１０のいずれか１つに記載の情報取得プログラムにおいて、前記個人情報は、ユーザの生年月日に関する情報を含むことを要旨とする。
【００１５】
請求項１２に記載の発明は、請求項７〜１１のいずれか１つに記載の情報取得プログラムにおいて、前記ユーザ識別子にはクッキーを用いることを要旨とする。
【００１６】
（作用）
請求項１又は６に記載の発明によれば、ユーザのプロファイルを記憶するプロファイル記憶手段と、複数のアンケートを記憶するアンケート情報記憶手段と、管理コンピュータとを用いる。管理コンピュータは、前記ユーザ識別子を付与し、そのユーザ識別子をユーザ端末に保存させるために提供する。そして、管理コンピュータは、ユーザ端末からユーザの個人情報とユーザ識別子とを受信した場合、個人情報をユーザ識別子と関連付けてプロファイル記憶手段に記憶し、個人情報に基づいて占い情報を生成するとともにユーザ識別子に基づいてアンケートを抽出し、ユーザ端末に送信する。そして、管理コンピュータは、ユーザ端末からアンケートに対する回答を受信した場合、回答をユーザ識別子と関連付けてプロファイル記憶手段に記憶する。このため、ユーザの個人情報とアンケートの回答とをユーザのプロファイルとして取得できる。さらに、ユーザ識別子を用いることにより、同じユーザ端末からアクセスがあった場合にユーザを特定できる。従って、ユーザに応じてアンケートを選択することが可能となり、同一のユーザに対して、毎回、異なるアンケートを行い、回答を蓄積することが可能となる。
【００１７】
請求項２又は８に記載の発明によれば、管理コンピュータは、ユーザ端末からアンケートに対する回答を受信した場合、追加情報をユーザ端末に送信する。このため、追加情報の提示により、ユーザに対してアンケートに回答するための動機付けを行うことができる。
【００１８】
請求項３又は９に記載の発明によれば、管理コンピュータは、ユーザ端末からユーザ端末のシステム環境についての環境情報を受信し、その環境情報を前記ユーザ識別子に関連付けて前記プロファイル記憶手段に記憶する。このため、ユーザ端末の環境情報をユーザのプロファイルとして取得できる。
【００１９】
請求項４又は１０に記載の発明によれば、管理コンピュータは、占い情報を実行時期に対応して生成する。このため、実行時期に応じて、同一のユーザに対して異なる占い情報を提供できる。従って、ユーザに対して繰り返しアンケートに回答するための動機付けを行うことができる。
【００２０】
請求項５又は１１に記載の発明によれば、前記個人情報は、ユーザの生年月日に関する情報を含む。このため、ユーザの生年月日に関する情報に基づいて占いを行うことができるとともに、ユーザの年齢を取得できる。従って、アンケートの回答と年齢等を対応させることにより、年齢に応じた嗜好傾向を把握できる。
【００２１】
請求項６又は１２に記載の発明によれば、前記ユーザ識別子にはクッキーを用いる。このため、クッキーを用いて、請求項１〜５又は請求項７〜１１の作用を得ることができる。
【００２２】
【発明の実施の形態】
以下、本発明を具体化した一実施形態を図１〜図７に従って説明する。本実施形態では、ユーザに占い情報を提供しつつ、ユーザのプロファイル情報を取得する情報取得方法及び情報取得プログラムとして説明する。
【００２３】
図１に示すように、占い情報提供サーバ２０は、インターネット３０を介して、ユーザ端末３１に接続されている。ユーザは、ユーザ端末３１を用いて占い情報提供サーバ２０にアクセスし、占い情報の提供要求を行う。ユーザ端末３１は、データの入力、占い情報提供サーバ２０との間でのデータの送受信、データの表示を行う。このため、ユーザ端末３１は、図示しない制御手段（ＣＰＵ）、記憶手段（ＲＡＭ、ＲＯＭ、ハードディスク等）、通信手段、表示手段（例えば、モニタ）、入力手段（例えば、キーボードやマウス）を備えている。
【００２４】
占い情報提供サーバ２０は、図１に示すように、管理コンピュータ２１を備えている。管理コンピュータ２１は、図示しない制御手段（ＣＰＵ）、記憶手段（ＲＡＭ、ＲＯＭ、ハードディスク等）、通信手段等を有するコンピュータである。この管理コンピュータ２１は、情報取得プログラムを実行することにより、占いを提供するとともに、ユーザのプロファイル情報を取得する。なお、この情報取得プログラムは、占い実行プログラム等の各種プログラムにより構成されており、これらの各種プログラムを実行することにより、データの送受信、後述するデータの処理等を行う。すなわち、本実施形態では、この管理コンピュータ２１が、ユーザ識別子付与手段、アンケート提供手段、回答取得手段、追加情報送信手段、環境情報取得手段等として機能する。なお、占い実行プログラムは、ユーザにより入力された生年月日及び性別と当日日付とを用いて占い情報を算出するためのプログラムである。
【００２５】
管理コンピュータ２１には、アンケート情報記憶部２２及びプロファイル情報記憶部２３が、それぞれ接続されている。
アンケート情報記憶部２２には、図２に示すように、複数のアンケート情報２２０が記憶されている。本実施形態では、アンケート情報２２０は、アンケート番号及びアンケート内容により構成されている。アンケート番号は、アンケートを識別するための識別子であって、連番が設定されている。アンケート内容は、ユーザに二者択一で選択させるアンケートにおいて、選択される２つの項目であって、例えば、「ファッション情報、グルメ情報」のように設定されている。このアンケート情報２２０は、本実施形態の処理に先立って予め設定されている。
【００２６】
プロファイル情報記憶部２３には、図３に示すように、ユーザ毎にプロファイル情報２３０が記憶されている。本実施形態では、プロファイル情報２３０は、ユーザ名、生年月日、性別、環境情報及びアンケート結果（１）〜（ｎ）により構成されている。ユーザ名はユーザにより入力されたユーザの名前である。生年月日はユーザの生年月日である。性別はユーザの性別である。環境情報は、ＣＧＩで使用する環境変数によって特定される、ＩＰアドレス、ブラウザタイプ等のユーザ端末３１のシステム環境についての情報である。アンケート結果（１）〜（ｎ）は、アンケート情報２２０のアンケート内容に対するユーザの回答である。本実施形態では、アンケートの回答は、二者択一で選択される。上述の例の場合、「ファッション情報」が選択された場合「ａ」が設定され、「グルメ情報」が選択された場合「ｂ」が設定される。このプロファイル情報２３０は、ユーザが初めて本サービスを利用する場合に記憶され、その後、ユーザがアンケートに回答する度に、アンケート結果（１）〜（ｎ）が順次、記録される。
【００２７】
次に、上記のように構成されたシステムにおいて、占い情報を提供するとともに、ユーザのプロファイルを取得する場合の処理手順を図４及び図５に従って説明する。
【００２８】
まず、ユーザは、ユーザ端末３１において、占い入力画面の表示要求を行う。図４に示すように、ユーザ端末３１は、管理コンピュータ２１にアクセスし、占い入力画面の表示要求を行う（ステップＳ１−１）。なお、この占い入力画面に対応するＣｏｏｋｉｅ（クッキー）がユーザ端末３１の記憶手段に記憶されている場合、ユーザ端末３１は、そのＣｏｏｋｉｅを管理コンピュータ２１に送信する。管理コンピュータ２１は、占い入力画面の表示要求に応じて、占い入力画面を表示するためのデータをユーザ端末３１に送信する（ステップＳ１−２）。
【００２９】
なお、Ｃｏｏｋｉｅを受信しなかった場合、管理コンピュータ２１は、ユーザ識別子を付与してプロファイル情報記憶部２３に記憶する。そして、管理コンピュータ２１は、付与したユーザ識別子を含むＣｏｏｋｉｅをユーザ端末３１に送信する。ユーザ端末３１が占い入力画面を表示するためのデータを受信すると、図６に示す占い入力画面４０が表示される。また、ユーザ端末３１においてＣｏｏｋｉｅを有効とする場合、受信したＣｏｏｋｉｅがユーザ端末３１の記憶手段に記憶される。
【００３０】
図６に示すように、占い入力画面４０には、個人情報設定欄４１及び占い要求ボタン４２が設けられている。個人情報設定欄４１には、ユーザ名入力ボックス、生年月日入力ボックス及び性別選択ボタンが設けられている。なお、過去に管理コンピュータ２１にアクセスしたことによりＣｏｏｋｉｅがユーザ端末３１の記憶手段に保存されている場合、そのＣｏｏｋｉｅに記録されている個人情報に基づいて、個人情報設定欄４１の各項目が表示される。要求ボタン４２は、個人情報設定欄４１における入力内容に基づいて、占いを実行させる場合に用いられる。ユーザ端末３１は、個人情報設定欄４１の各項目の入力を受け入れる（ステップＳ１−３）。
【００３１】
要求ボタン４２がクリックされると、ユーザ端末３１は、占い要求を以下のようにして行う。ここで、ユーザ端末３１においてＣｏｏｋｉｅを有効とする場合、ユーザ端末３１は、その記憶手段に記憶されているＣｏｏｋｉｅに、個人情報設定欄４１にて入力された個人情報を記録する（ステップＳ１−４）。そして、ユーザ端末３１は、個人情報（ユーザ名、生年月日及び性別）を管理コンピュータ２１に送信する。ここで、ユーザ端末３１においてＣｏｏｋｉｅを有効とする場合、ユーザ端末３１は、Ｃｏｏｋｉｅを管理コンピュータ２１に送信する（ステップＳ１−５）。これらを受信すると、管理コンピュータ２１は、受信した個人情報の生年月日及び性別と当日日付とを用いて占い実行プログラムを実行し、当日の運勢についての占い情報を算出する（ステップＳ１−６）。
【００３２】
そして、図５に示すように、Ｃｏｏｋｉｅを受信した場合（ステップＳ１−７でＹＥＳの場合）、管理コンピュータ２１は、アンケートの抽出を行う（ステップＳ１−８）。具体的には、管理コンピュータ２１は、受信したＣｏｏｋｉｅに前回のアンケート番号が含まれている場合、その次のアンケート番号に対応するアンケート内容をアンケート情報記憶部２２から抽出する。なお、過去にユーザ端末３１から管理コンピュータ２１にアクセスした際に、ユーザがアンケートに回答している場合、前回のアンケート番号がＣｏｏｋｉｅに記録されている。例えば、受信したＣｏｏｋｉｅに含まれる前回のアンケート番号が「３」である場合、管理コンピュータ２１は、アンケート番号「４」に対応するアンケート内容をアンケート情報記憶部２２から抽出する。なお、ユーザが、過去にアンケートに回答していない場合は、前回のアンケート番号はＣｏｏｋｉｅに含まれない。この場合は、管理コンピュータ２１は、アンケート番号「１」に対応するアンケート内容をアンケート情報記憶部２２から抽出する。そして、管理コンピュータ２１は、占い情報及びアンケートを表示するためのデータをユーザ端末３１に送信する（ステップＳ１−９）。このデータは、表示するアンケートを特定するための番号（アンケート番号）を有する。これを受信すると、ユーザ端末３１に、図７に示す占い情報画面５０が表示される。
【００３３】
図７に示すように、占い情報画面５０には、当日の運勢欄５１及びアンケート欄５２が設けられている。運勢欄５１には、ユーザの生年月日及び性別と当日日付とを用いて算出された占い情報が表示される。アンケート欄５２には、アンケートと、それに対する回答のためのラジオボタンとが表示される。さらに、占い情報画面５０には、続行ボタン５３及び終了ボタン５４が設けられている。続行ボタン５３は、アンケート結果を送信する場合に用いられる。終了ボタン５４は、画面を閉じ、処理を終了する場合に用いられる。ここで、ユーザ端末３１は、ラジオボタンの選択によるアンケートの回答の入力を受け入れる（ステップＳ１−１０）。そして、続行ボタン５３がクリックされると、ユーザ端末３１においてＣｏｏｋｉｅを有効とする場合、ユーザ端末３１は、ユーザ端末３１の記憶手段に記憶されているＣｏｏｋｉｅにアンケート番号及び回答を記録する（ステップＳ１−１１）。そして、ユーザ端末３１においてＣｏｏｋｉｅを有効とする場合、ユーザ端末３１は、アンケート番号及び回答を含むＣｏｏｋｉｅを管理コンピュータ２１に送信する（ステップＳ１−１２）。
【００３４】
これを受信すると、管理コンピュータ２１は、受信したデータを図示しない記憶手段に一時的に記憶し、受信したＣｏｏｋｉｅに含まれるユーザ識別子に基づいてプロファイル情報記憶部２３を検索する。そして、プロファイル情報２３０に個人情報及び環境情報が設定されていない場合（ステップＳ１−１３でＮＯの場合）、個人情報及び環境情報を記憶する（ステップＳ１−１４）。ここで、個人情報については、受信したＣｏｏｋｉｅに含まれる個人情報に基づいて記憶する。また、環境情報については、受信したデータにおけるＣＧＩの環境変数に基づいて記憶する。
【００３５】
さらに、管理コンピュータ２１は、受信したＣｏｏｋｉｅに含まれるアンケートの回答に基づいて、プロファイル情報記憶部２３にアンケート結果を記録する（ステップＳ１−１５）。具体的には、管理コンピュータ２１は、アンケート番号に基づいてプロファイル情報２３０のアンケート結果領域を特定し、アンケート結果を記録する。例えば、受信したＣｏｏｋｉｅに含まれるアンケート番号が「４」である場合、管理コンピュータ２１は、そのＣｏｏｋｉｅに含まれる回答に基づいてアンケート結果（４）を記録する。そして、管理コンピュータ２１は、生年月日及び性別と当日日付とに基づいてさらに算出した占い情報を追加情報として表示するためのデータをユーザ端末３１に送信する（ステップＳ１−１６）。ユーザ端末３１が、これを受信すると、追加情報として占い情報を表示する追加情報表示画面（図示せず）が表示される。
【００３６】
一方、Ｃｏｏｋｉｅを受信しなかった場合（ステップＳ１−７でＮＯの場合）、管理コンピュータ２１は、占い情報を表示するためのデータをユーザ端末３１に送信する（ステップＳ１−１７）。これを受信すると、ユーザ端末３１に、当日の運勢のみを提供する画面が表示される。そして、管理コンピュータ２１は、ステップＳ１−５においてユーザ端末３１から送信されたデータに基づいて、個人情報及び環境情報を図示しない記憶部に記憶する（ステップＳ１−１８）。
【００３７】
以上、本実施形態によれば、以下に示す効果を得ることができる。
・  上記実施形態では、管理コンピュータ２１は、ユーザ識別子を付与し、そのユーザ識別子をユーザ端末３１に保存させるために提供する。そして、管理コンピュータ２１は、ユーザ端末３１からユーザの個人情報とユーザ識別子とを受信した場合、個人情報をユーザ識別子と関連付けてプロファイル情報２３０に記憶する。そして、管理コンピュータ２１は、個人情報に基づいて占い情報を算出するとともにユーザ識別子に基づいてアンケート情報記憶部２２からアンケート内容を抽出し、ユーザ端末３１に送信する。そして、管理コンピュータ２１は、ユーザ端末３１からアンケートに対する回答を受信した場合、その回答をプロファイル情報２３０に記録する。このため、ユーザの個人情報とアンケートの回答とをユーザのプロファイルとして取得できる。さらに、ユーザ識別子を用いることにより、同じユーザ端末３１からアクセスがあった場合にユーザを特定できる。従って、ユーザに応じてアンケートを選択することができる。そして、このユーザが回答していないアンケートを行うことで、異なるアンケートに対する回答をユーザ毎に蓄積することが可能となる。
【００３８】
・  上記実施形態では、管理コンピュータ２１は、アンケートに対する回答を受信した場合、追加情報画面データをユーザ端末３１に送信する。このため、追加情報の提示により、ユーザに対してアンケートに回答するための動機付けを行うことができる。
【００３９】
・  上記実施形態では、管理コンピュータ２１は、ユーザ端末３１から送信されるデータに含まれるＣＧＩの環境変数に基づいて、ユーザ端末３１のシステム環境についての環境情報を取得し、プロファイル情報記憶部２３に記憶する。このため、ユーザ端末３１の環境情報をユーザのプロファイルとして取得できる。
【００４０】
・  上記実施形態では、管理コンピュータ２１は、当日日付に基づいて、当日の運勢についての占い情報を算出し、ユーザに提供する。このため、ユーザは、毎回、占い要求を行った当日の運勢を知ることができる。従って、ユーザに占い要求を繰り返し行わせることが可能となり、これにより、繰り返しアンケートに回答させることが可能となる。
【００４１】
・  上記実施形態では、入力画面４０を用いてユーザの生年月日を入力させる。このため、ユーザの生年月日に基づいて占いを行うことが可能となるとともに、ユーザの生年月日からユーザの年齢を取得できる。従って、アンケートの回答と年齢等を対応させることにより、年齢に応じた嗜好傾向を把握できる。
【００４２】
・  上記実施形態では、アンケート番号をＣｏｏｋｉｅに記録し、その次のアクセスの際に、Ｃｏｏｋｉｅに記録されたアンケート番号の次のアンケートを行う。このため、同一のユーザが回答していないアンケートを行うことができ、異なるアンケートに対する回答をユーザ毎に蓄積できる。
【００４３】
なお、上記実施形態は、以下の態様に変更してもよい。
・  上記実施形態では、ユーザの生年月日及び性別と当日日付とに基づいて当日の運勢についての占い情報を算出し、ユーザに提供したが、提供する占い情報は、異なる期間についての占い情報であってもよい。例えば、１週間毎の運勢を占い情報として提供してもよい。
【００４４】
・  上記実施形態では、アンケートに対する回答を行った場合、追加情報を提供したが、アンケートの回答に対しては、追加情報を提供しなくてもよい。
・  上記実施形態では、アンケートに対する回答を行った場合、追加情報として、ユーザの生年月日及び性別と当日日付とに基づいて求めた、さらなる占い情報を提供した。追加情報の内容は、これに限られるものではなく、例えば、アンケートの回答に基づいて、情報を提供してもよい。
【００４５】
・  上記実施形態では、ＣＧＩが使用する環境変数により、ユーザ端末３１のシステム環境について環境情報を取得したが、環境情報は取得しなくてもよい。
・  上記実施形態では、予め定めたアンケート番号の順番に従って、アンケートを行ったが、アンケート内容の選択方法は、これに限られるものではない。例えば、生年月日や性別に基づいて、アンケート内容を選択してもよい。また、アンケートに対する回答に基づいて、その後に提示するアンケートを選択してもよい。このようにすることで、必要なプロファイル情報を、より効率よく取得することが可能となる。
【００４６】
【発明の効果】
以上詳述したように、本発明によれば、ユーザのプロファイル情報を効率的に取得できる。
【図面の簡単な説明】
【図１】本発明の一実施形態のシステム概略図。
【図２】アンケート情報記憶部に記憶されたデータの説明図。
【図３】プロファイル情報記憶部に記憶されたデータの説明図。
【図４】本発明の一実施形態の処理手順の説明図。
【図５】本発明の一実施形態の処理手順の説明図。
【図６】ユーザ端末に表示される表示画面の説明図。
【図７】ユーザ端末に表示される表示画面の説明図。
【符号の説明】
２１…管理コンピュータ、２２…アンケート情報記憶手段としてのアンケート情報記憶部、２３…プロファイル記憶手段としてのプロファイル情報記憶部、３１…ユーザ端末。
【図１】
2004171438.tif 000003
【図２】
2004171438.tif 000004
【図３】
2004171438.tif 000005
【図４】
2004171438.tif 000006
【図５】
2004171438.tif 000007
【図６】
2004171438.tif 000008
【図７】
2004171438.tif 000009